(57)【特許請求の範囲】
【請求項１】
アクセスポイント間でのハンドオーバを調整するための方法であって、
前記アクセスポイントにより、モバイルデバイスが前記アクセスポイント間での頻繁なハンドオーバを経験していると判定するステップと、
前記アクセスポイントにより、前記モバイルデバイスの前記頻繁なハンドオーバの原因を判定するステップと、
前記アクセスポイントにより、頻繁なハンドオーバをピンポンハンドオーバまたは高速で移動するデバイスのハンドオーバに分類することを含めて、前記ハンドオーバの前記原因に基づいて、前記モバイルデバイスの前記頻繁なハンドオーバを分類するステップと、
前記アクセスポイントにより、ハンドオーバ分類に基づいて、前記モバイルデバイスのハンドオーバの頻度を調整するステップと、
を含み、
現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、前記頻繁なハンドオーバは前記ピンポンハンドオーバに分類され、
前記頻繁なハンドオーバが前記ピンポンハンドオーバに分類されないときに、前記頻繁なハンドオーバは前記高速で移動するデバイスのハンドオーバに分類され、
ハンドオーバ分類に基づいて、ハンドオーバの頻度を調整するステップが、前記頻繁なハンドオーバがピンポンハンドオーバに分類されるとき、1つまたは複数のハンドオーバトリガパラメータを調整して、前記アクセスポイントまたは前記モバイルデバイスによるハンドオーバのトリガを遅延させ、前記頻繁なハンドオーバが継続する場合にはマクロセルへのハンドオーバを開始するステップを含む、
方法。
【請求項２】
前記頻繁なハンドオーバを分類するステップが、ハンドオーバの頻度を判定するステップをさらに含む、請求項1に記載の方法。
【請求項３】
前記モバイルデバイスが前記アクセスポイント間での頻繁なハンドオーバを経験していると判定するステップが、
前記モバイルデバイスのハンドオーバ履歴を取得するステップと、
前記ハンドオーバ履歴に基づいて、前記モバイルデバイスが頻繁なハンドオーバを経験していると判定するステップと
を含む、請求項1に記載の方法。
【請求項４】
前記ハンドオーバ履歴に基づいて、前記モバイルデバイスが頻繁なハンドオーバを経験していると判定するステップが、
過去のアクセスポイント上でモバイルデバイスが費やした平均時間に基づいて、前記モバイルデバイスが頻繁なハンドオーバを経験していると判定するステップを含む、請求項3に記載の方法。
【請求項５】
前記ハンドオーバ履歴に基づいて、前記モバイルデバイスが頻繁なハンドオーバを経験していると判定するステップが、
1つまたは複数のアクセスポイント上でモバイルデバイスが費やした時間に基づいて、前記モバイルデバイスが頻繁なハンドオーバを経験していると判定するステップを含む、請求項3に記載の方法。
【請求項６】
前記ハンドオーバ分類に基づいて、ハンドオーバの頻度を調整するステップが、
前記頻繁なハンドオーバが高速で移動するデバイスのハンドオーバに分類されるとき、別の搬送波または無線技術でマクロセルへのハンドオーバを開始するステップを含む、請求項1に記載の方法。
【請求項７】
前記モバイルデバイスによるハンドオーバのトリガの遅延が、隣接するアクセスポイントのサブセットについて生じる、請求項1に記載の方法。
【請求項８】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項1に記載の方法。
【請求項９】
コロケートされたマクロセルへの周波数間またはRAT間ハンドオーバをアクセスポイントによって開始するステップをさらに含む、請求項1に記載の方法。
【請求項１０】
アクセスポイント間でのハンドオーバを調整するための装置であって、
モバイルデバイスが前記アクセスポイント間での頻繁なハンドオーバを経験していると判定し、
前記モバイルデバイスの前記頻繁なハンドオーバの原因を判定するステップと、
頻繁なハンドオーバをピンポンハンドオーバまたは高速で移動するデバイスのハンドオーバに分類することを含めて、前記ハンドオーバの前記原因に基づいて、前記モバイルデバイスの前記頻繁なハンドオーバを分類し、
ハンドオーバ分類に基づいて、前記モバイルデバイスのハンドオーバの頻度を調整する
ように構成されたプロセッサ
を備え、
現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、前記頻繁なハンドオーバは前記ピンポンハンドオーバに分類され、
前記頻繁なハンドオーバが前記ピンポンハンドオーバに分類されないときに、前記頻繁なハンドオーバは前記高速で移動するデバイスのハンドオーバに分類され、
ハンドオーバ分類に基づくハンドオーバの頻度の調整が、前記頻繁なハンドオーバがピンポンハンドオーバに分類されるとき、1つまたは複数のハンドオーバトリガパラメータを調整して、前記アクセスポイントまたは前記モバイルデバイスによるハンドオーバのトリガを遅延させ、前記頻繁なハンドオーバが継続する場合にはマクロセルへのハンドオーバを開始することを含む、
装置。
【請求項１１】
前記頻繁なハンドオーバを分類するために、前記プロセッサが、ハンドオーバの頻度を判定するようにさらに構成される、請求項10に記載の装置。
【請求項１２】
前記モバイルデバイスが前記アクセスポイント間での頻繁なハンドオーバを経験しているかどうかを判定するために、前記プロセッサが、
前記モバイルデバイスのハンドオーバ履歴を取得し、
前記ハンドオーバ履歴に基づいて、前記モバイルデバイスが頻繁なハンドオーバを経験していると判定する
ようにさらに構成される、請求項10に記載の装置。
【請求項１３】
前記ハンドオーバ履歴に基づいて、前記モバイルデバイスが頻繁なハンドオーバを経験していると判定するために、前記プロセッサが、
過去のアクセスポイント上で前記モバイルデバイスが費やした平均時間に基づいて、前記モバイルデバイスが頻繁なハンドオーバを経験していると判定するようにさらに構成される、請求項12に記載の装置。
【請求項１４】
前記ハンドオーバ履歴に基づいて、前記モバイルデバイスが頻繁なハンドオーバを経験していると判定するために、前記プロセッサが、
1つまたは複数のアクセスポイント上で前記モバイルデバイスが費やした時間に基づいて、前記モバイルデバイスが頻繁なハンドオーバを経験していると判定するようにさらに構成される、請求項13に記載の装置。
【請求項１５】
前記ハンドオーバ分類に基づいて、ハンドオーバの頻度を調整するために、前記プロセッサが、
前記頻繁なハンドオーバが高速で移動するデバイスのハンドオーバに分類されるとき、別の搬送波または無線技術でマクロセルへのハンドオーバを開始するようにさらに構成される、請求項10に記載の装置。
【請求項１６】
前記モバイルデバイスによるハンドオーバのトリガの遅延が、隣接するアクセスポイントのサブセットについて生じる、請求項10に記載の装置。
【請求項１７】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項10に記載の装置。
【請求項１８】
ハンドオーバの前記頻度が実質的に変化しない場合、前記プロセッサが、コロケートされたマクロセルへの周波数間またはRAT間ハンドオーバをアクセスポイントによって開始するようにさらに構成される、請求項10に記載の装置。
【請求項１９】
アクセスポイント間でのハンドオーバを調整するための装置であって、
モバイルデバイスが前記アクセスポイント間での頻繁なハンドオーバを経験していると判定するための手段と、
前記モバイルデバイスの前記頻繁なハンドオーバの原因を判定するための手段と、
頻繁なハンドオーバをピンポンハンドオーバまたは高速で移動するデバイスのハンドオーバに分類することを含めて、前記ハンドオーバの前記原因に基づいて、前記モバイルデバイスの前記頻繁なハンドオーバを分類するための手段と、
ハンドオーバ分類に基づいて、前記モバイルデバイスのハンドオーバの頻度を調整するするための手段と、
を備え、
現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、前記頻繁なハンドオーバは前記ピンポンハンドオーバに分類され、
前記頻繁なハンドオーバが前記ピンポンハンドオーバに分類されないときに、前記頻繁なハンドオーバは前記高速で移動するデバイスのハンドオーバに分類され、
ハンドオーバ分類に基づいて、ハンドオーバの頻度を調整するための手段が、前記頻繁なハンドオーバがピンポンハンドオーバに分類されるとき、1つまたは複数のハンドオーバトリガパラメータを調整して、前記アクセスポイントまたは前記モバイルデバイスによるハンドオーバのトリガを遅延させ、前記頻繁なハンドオーバが継続する場合にはマクロセルへのハンドオーバを開始するための手段を含む、
装置。
【請求項２０】
前記頻繁なハンドオーバを分類するための手段が、ハンドオーバの頻度を判定するための手段をさらに含む、請求項19に記載の装置。
【請求項２１】
前記モバイルデバイスが前記アクセスポイント間での頻繁なハンドオーバを経験していると判定するための手段が、
前記モバイルデバイスのハンドオーバ履歴を取得するための手段と、
前記ハンドオーバ履歴に基づいて、前記モバイルデバイスが頻繁なハンドオーバを経験していると判定するための手段と
を含む、請求項19に記載の装置。
【請求項２２】
前記ハンドオーバ分類に基づいて、ハンドオーバの頻度を調整するための手段が、
前記頻繁なハンドオーバが高速で移動するデバイスのハンドオーバに分類されるとき、別の搬送波または無線技術でマクロセルへのハンドオーバを開始するための手段を含む、請求項19に記載の装置。
【請求項２３】
ハンドオーバの前記頻度が実質的に変化しない場合、コロケートされたマクロセルへの周波数間またはRAT間ハンドオーバをアクセスポイントによって開始するための手段をさらに備える、請求項19に記載の装置。
【請求項２４】
アクセスポイント間でのハンドオーバを調整するためのコンピュータ実行可能コードを記録する非一時的コンピュータ可読記録媒体であって、
モバイルデバイスが前記アクセスポイント間での頻繁なハンドオーバを経験していると判定するための第1のセットのコードと、
前記モバイルデバイスの前記頻繁なハンドオーバの原因を判定するための第2のセットのコードと、
頻繁なハンドオーバをピンポンハンドオーバまたは高速で移動するデバイスのハンドオーバに分類することを含めて、前記ハンドオーバの前記原因に基づいて、前記モバイルデバイスの前記頻繁なハンドオーバを分類するための第3のセットのコードと、
ハンドオーバ分類に基づいて、前記モバイルデバイスのハンドオーバの頻度を調整するための第4のセットのコードと
を備え、
第3のセットのコードは、現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、前記頻繁なハンドオーバを前記ピンポンハンドオーバに分類し、
第3のセットのコードは、前記頻繁なハンドオーバが前記ピンポンハンドオーバに分類されないときに、前記頻繁なハンドオーバを前記高速で移動するデバイスのハンドオーバに分類し、
ハンドオーバ分類に基づいて、ハンドオーバの頻度を調整するための第4のコードが、前記頻繁なハンドオーバがピンポンハンドオーバに分類されるとき、1つまたは複数のハンドオーバトリガパラメータを調整して、前記アクセスポイントまたは前記モバイルデバイスによるハンドオーバのトリガを遅延させ、前記頻繁なハンドオーバが継続する場合にはマクロセルへのハンドオーバを開始するための第5のコードを含む、
非一時的コンピュータ可読記録媒体。
【請求項２５】
前記頻繁なハンドオーバを分類するための前記第3のセットのコードが、ハンドオーバの頻度を判定するための第5のセットのコードをさらに含む、請求項24に記載のコンピュータ可読記録媒体。
【請求項２６】
前記モバイルデバイスがアクセスポイント間での前記頻繁なハンドオーバを経験していると判定するための前記第1のセットのコードが、
前記モバイルデバイスのハンドオーバ履歴を取得するための第5のセットのコードと、
前記ハンドオーバ履歴に基づいて、前記モバイルデバイスが頻繁なハンドオーバを経験していると判定するための第6のセットのコードと
を含む、請求項24に記載のコンピュータ可読記録媒体。
【請求項２７】
前記ハンドオーバ分類に基づいて、ハンドオーバの頻度を調整するための第4のセットのコードが、
頻繁なハンドオーバが高速で移動するデバイスのハンドオーバに分類されるとき、別の搬送波または無線技術でマクロセルへのハンドオーバを開始するための第5のセットのコードを含む、請求項24に記載のコンピュータ可読記録媒体。
【請求項２８】
ハンドオーバの前記頻度が実質的に変化しない場合、コロケートされたマクロセルへの周波数間またはRAT間ハンドオーバをアクセスポイントによって開始するための第5のセットのコードをさらに備える、請求項24に記載のコンピュータ可読記録媒体。
【請求項２９】
アクセスポイント間でのハンドオーバを調整するための方法であって、
前記アクセスポイントにより、モバイルデバイスの前記アクセスポイント間のハンドオーバを監視し、前記モバイルデバイスがピンポンハンドオーバを経験していると判定するステップであって、現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、頻繁なハンドオーバが前記ピンポンハンドオーバに分類され、前記ハンドオーバが前記ピンポンハンドオーバに分類されないときに、前記ハンドオーバは高速で移動するデバイスのハンドオーバに分類される、ステップと、
前記アクセスポイントにより、前記監視に基づいて、前記モバイルデバイスのためのハンドオーバのトリガに関連する1つまたは複数のパラメータを調整するステップと、
前記アクセスポイントにより、前記モバイルデバイスの後続のハンドオーバを監視するステップであって、前記後続のハンドオーバを監視するステップは、前記モバイルデバイスがピンポンハンドオーバを経験していると判定することを含む、ステップと、
前記アクセスポイントにより、前記モバイルデバイスの前記後続のハンドオーバの監視に基づいて、前記モバイルデバイスのためのハンドオーバの前記トリガに関連する前記1つまたは複数のパラメータを再調整し、頻繁なハンドオーバが継続する場合にはマクロセルへのハンドオーバを開始するステップと、
を含む、方法。
【請求項３０】
前記ハンドオーバを監視するステップおよび前記モバイルデバイスが前記ピンポンハンドオーバを経験していると判定するステップが、前記モバイルデバイスが前記頻繁なハンドオーバを経験していると判定するステップを含む、請求項29に記載の方法。
【請求項３１】
前記ハンドオーバを監視するステップおよび前記モバイルデバイスが前記ピンポンハンドオーバを経験していると判定するステップが、前記モバイルデバイスのハンドオーバ履歴に基づく、請求項29に記載の方法。
【請求項３２】
1つまたは複数のパラメータを調整するステップが、メッセージを前記モバイルデバイスに送るステップを含む、請求項29に記載の方法。
【請求項３３】
前記メッセージが、測定制御(Measurement Control)メッセージである、請求項32に記載の方法。
【請求項３４】
1つまたは複数のパラメータを再調整するステップが、メッセージを前記モバイルデバイスに送るステップを含む、請求項29に記載の方法。
【請求項３５】
前記メッセージが、測定制御(Measurement Control)メッセージである、請求項34に記載の方法。
【請求項３６】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項29に記載の方法。
【請求項３７】
前記後続のハンドオーバを監視するステップが、前記モバイルデバイスが頻繁なハンドオーバを経験していると判定するステップを含む、請求項29に記載の方法。
【請求項３８】
前記後続のハンドオーバを監視するステップが、前記モバイルデバイスのハンドオーバ履歴に基づく、請求項29に記載の方法。
【請求項３９】
アクセスポイント間でのハンドオーバを調整するための装置であって、
モバイルデバイスの前記アクセスポイント間のハンドオーバを監視し、前記モバイルデバイスがピンポンハンドオーバを経験していると判定し、
前記監視に基づいて、前記モバイルデバイスのためのハンドオーバのトリガに関連する1つまたは複数のパラメータを調整し、
前記モバイルデバイスの後続のハンドオーバを監視し、
前記モバイルデバイスの前記後続のハンドオーバの監視に基づいて、前記モバイルデバイスのためのハンドオーバの前記トリガに関連する前記1つまたは複数のパラメータを再調整し、頻繁なハンドオーバが継続する場合にはマクロセルへのハンドオーバを開始する
ように構成されたプロセッサ
を備え、
現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、頻繁なハンドオーバが前記ピンポンハンドオーバに分類され、前記ハンドオーバが前記ピンポンハンドオーバに分類されないときに、前記ハンドオーバは高速で移動するデバイスのハンドオーバに分類され、
前記後続のハンドオーバを監視するステップは、前記モバイルデバイスがピンポンハンドオーバを経験していると判定することを含む、
装置。
【請求項４０】
前記ハンドオーバを監視し、前記モバイルデバイスが前記ピンポンハンドオーバを経験していると判定するために、前記プロセッサが、前記モバイルデバイスが前記頻繁なハンドオーバを経験していると判定するようにさらに構成される、請求項39に記載の装置。
【請求項４１】
前記プロセッサが、前記モバイルデバイスのハンドオーバ履歴に基づいて、前記ハンドオーバを監視し、前記モバイルデバイスが前記ピンポンハンドオーバを経験していると判定するように構成される、請求項39に記載の装置。
【請求項４２】
前記1つまたは複数のパラメータを調整するために、前記プロセッサが、メッセージを前記モバイルデバイスに送るようにさらに構成される、請求項39に記載の装置。
【請求項４３】
前記メッセージが、測定制御(Measurement Control)メッセージである、請求項42に記載の装置。
【請求項４４】
前記1つまたは複数のパラメータを再調整するために、前記プロセッサが、メッセージを前記モバイルデバイスに送るようにさらに構成される、請求項39に記載の装置。
【請求項４５】
前記メッセージが、測定制御(Measurement Control)メッセージである、請求項44に記載の装置。
【請求項４６】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項39に記載の装置。
【請求項４７】
前記後続のハンドオーバを監視するために、前記プロセッサが、前記モバイルデバイスが頻繁なハンドオーバを経験しているかどうかを判定するようにさらに構成される、請求項39に記載の装置。
【請求項４８】
前記プロセッサが、前記モバイルデバイスのハンドオーバ履歴に基づいて、前記後続のハンドオーバを監視するように構成される、請求項39に記載の装置。
【請求項４９】
アクセスポイント間でのハンドオーバを調整するための装置であって、
モバイルデバイスの前記アクセスポイント間のハンドオーバを監視し、前記モバイルデバイスがピンポンハンドオーバを経験していると判定するための手段であって、現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、頻繁なハンドオーバが前記ピンポンハンドオーバに分類され、前記ハンドオーバが前記ピンポンハンドオーバに分類されないときに、前記ハンドオーバは高速で移動するデバイスのハンドオーバに分類される、手段と、
前記監視に基づいて、前記モバイルデバイスのためのハンドオーバのトリガに関連する1つまたは複数のパラメータを調整するための手段と、
前記モバイルデバイスの後続のハンドオーバを監視するための手段であって、前記後続のハンドオーバを監視するステップは、前記モバイルデバイスがピンポンハンドオーバを経験していると判定することを含む、手段と、
前記モバイルデバイスの前記後続のハンドオーバの監視に基づいて、前記モバイルデバイスのためのハンドオーバの前記トリガに関連する1つまたは複数のパラメータを再調整し、頻繁なハンドオーバが継続する場合にはマクロセルへのハンドオーバを開始するための手段と、
を備える装置。
【請求項５０】
前記ハンドオーバを監視し前記モバイルデバイスが前記ピンポンハンドオーバを経験していると判定するための手段が、前記モバイルデバイスが頻繁なハンドオーバを経験していると判定するための手段を含む請求項49に記載の装置。
【請求項５１】
1つまたは複数のパラメータを調整するための手段が、メッセージを前記モバイルデバイスに送るための手段を含む、請求項49に記載の装置。
【請求項５２】
前記メッセージが、測定制御(Measurement Control)メッセージである、請求項51に記載の装置。
【請求項５３】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項49に記載の装置。
【請求項５４】
アクセスポイント間でのハンドオーバを調整するためのコンピュータ実行可能コードを記録する非一時的コンピュータ可読記録媒体であって、
モバイルデバイスの前記アクセスポイント間のハンドオーバを監視し、前記モバイルデバイスがピンポンハンドオーバを経験していると判定するための第1のセットのコードであって、現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、頻繁なハンドオーバが前記ピンポンハンドオーバに分類され、前記ハンドオーバが前記ピンポンハンドオーバに分類されないときに、前記ハンドオーバは高速で移動するデバイスのハンドオーバに分類される、第1のセットのコードと、
前記監視に基づいて、前記モバイルデバイスのためのハンドオーバのトリガに関連する1つまたは複数のパラメータを調整するための第2のセットのコードと、
前記モバイルデバイスの後続のハンドオーバを監視するための第3のセットのコードであって、前記後続のハンドオーバを監視するステップは、前記モバイルデバイスがピンポンハンドオーバを経験していると判定することを含む、第3のセットのコードと、
前記モバイルデバイスの前記後続のハンドオーバの監視に基づいて、前記モバイルデバイスのためのハンドオーバの前記トリガに関連する1つまたは複数のパラメータを再調整し、頻繁なハンドオーバが継続する場合にはマクロセルへのハンドオーバを開始するための第4のセットのコードと、
を備える、非一時的コンピュータ可読記録媒体。
【請求項５５】
前記ハンドオーバを監視し前記モバイルデバイスが前記ピンポンハンドオーバを経験していると判定するための第1のセットのコードが、前記モバイルデバイスが頻繁なハンドオーバを経験していると判定するための第5のセットのコードを含む、請求項54に記載のコンピュータ可読記録媒体。
【請求項５６】
前記1つまたは複数のパラメータを調整するための前記第2のセットのコードが、メッセージを前記モバイルデバイスに送るための第5のセットのコードを含む、請求項54に記載のコンピュータ可読記録媒体。
【請求項５７】
前記メッセージが、測定制御(Measurement Control)メッセージである、請求項56に記載のコンピュータ可読記録媒体。
【請求項５８】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項54に記載のコンピュータ可読記録媒体。
【発明の詳細な説明】
【技術分野】
【０００１】
米国特許法第119条に基づく優先権の主張
本特許出願は、本出願の譲受人に譲渡され、参照により本明細書に明確に組み込まれる、2012年2月24日に出願された「Handover  by  Mobile  Devices  Between  Femtocells」と題する仮出願第61/603,014号の優先権を主張する。
【０００２】
本開示は一般に通信の分野に関し、より詳細には、フェムトセル間でのモバイルデバイスによる頻繁なハンドオーバを調整するためのシステムおよび方法に関する。
【背景技術】
【０００３】
ワイヤレス通信システムは、たとえば、音声、データなどの様々なタイプの通信コンテンツを提供するために広く展開されている。典型的なワイヤレス通信システムは、利用可能なシステムリソース(たとえば、帯域幅、送信電力など)を共有することによって、複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、直交周波数分割多元接続(OFDMA)システムなどが含まれ得る。加えて、これらのシステムは、第3世代パートナーシッププロジェクト(3GPP)、3GPPロングタームエボリューション(LTE)、ウルトラモバイルブロードバンド(UMB)、エボリューションデータオプティマイズド(EV-DO)などの仕様に準拠することができる。
【０００４】
一般に、ワイヤレス多元接続通信システムは、複数のモバイルデバイス向けの通信を同時にサポートすることができる。各モバイルデバイスは、順方向リンクおよび逆方向リンク上の伝送を介して、1つまたは複数の基地局と通信することができる。順方向リンク(またはダウンリンク)は、基地局からモバイルデバイスまでの通信リンクを指し、逆方向リンク(またはアップリンク)は、モバイルデバイスから基地局までの通信リンクを指す。さらに、モバイルデバイスと基地局との間の通信は、単入力単出力(SISO)システム、多入力単出力(MISO)システム、多入力多出力(MIMO)システムなどを介して確立することができる。加えて、ピアツーピアワイヤレスネットワーク構成では、モバイルデバイスは他のモバイルデバイスと(および/または基地局は他の基地局と)通信することができる。
【０００５】
従来の基地局を補足するために、追加の低電力基地局を展開して、より強固なワイヤレスカバレージをモバイルデバイスに提供することができる。たとえば、(たとえば、一般にホームノードBまたはホームeNBと呼ばれ、H(e)NB、フェムトノード、フェムトセルノード、ピコノード、マイクロノードなどと総称され得る)低電力基地局は、漸進的な容量の増大、より豊かなユーザエクスペリエンス、屋内または他の特定の地理的カバレージおよび/または同様のもののために展開され得る。いくつかの構成では、そのような低電力基地局は、モバイル事業者のネットワークへのバックホールリンクを提供することができるブロードバンド接続(たとえば、デジタル加入者回線(DSL)ルータ、ケーブルまたは他のモデムなど)を介して、インターネットに接続される。この点について、低電力基地局は、現在のネットワーク環境を考慮することなく、家庭、オフィスなどに展開されることが多い。
【０００６】
フェムトセル展開では、フェムトセルの小さいカバレージエリアにより、アクティブな高速モバイルデバイスは、隣接するフェムトセル間での頻繁なハンドオーバを行うことがある。加えて、静止しているまたは低速で移動するモバイルデバイスでさえ、異なるフェムトセルからのパイロット信号がほぼ同じ強度である(すなわち、パイロット汚染)場所にモバイルデバイスが存在する場合、チャネルフェージングにより、頻繁なハンドオーバを経験する可能性がある。フェムトセル間でのこれらの頻繁なハンドオーバは、音声アーティファクトおよび/またはパケット遅延および/または劣悪なユーザエクスペリエンスにつながるパケットロスを引き起こすだけでなく、フェムトセルノードおよび/またはコアネットワークにおけるシグナリング負荷を増大させる可能性があるので、望ましくない。したがって、フェムトセル展開においてそのような頻繁なモバイルデバイスのハンドオーバを調整することが望ましい。
【発明の概要】
【課題を解決するための手段】
【０００７】
以下に、フェムトセル間でのモバイルデバイスによる頻繁なハンドオーバを調整するための機構の1つまたは複数の態様の簡略化された概要を提示する。この概要は、本発明のすべての企図された態様の包括的な概観ではなく、本発明の主要または重要な要素を識別するものでも、そのいずれかまたはすべての態様の範囲を定めるものでもない。その唯一の目的は、後で提示するより詳細な説明の導入として、1つまたは複数の態様のいくつかの概念を簡略化された形で提示することである。
【０００８】
一般に、本明細書で開示するシステムおよび方法は、隣接するフェムトセル間でのモバイルデバイスによる頻繁なハンドオーバを調整するための機構を提供する。一態様では、方法は、モバイルデバイスがフェムトセル間での頻繁なハンドオーバを経験しているかどうかを判定するステップと、原因(たとえば、2つ以上のフェムトセル間での相互通信（ping-pong）、いくつかのフェムトセルを横断する高速モバイルデバイスなど)に基づいて、頻繁なハンドオーバを分類するステップと、頻繁なハンドオーバの数およびその分類に基づいて、頻繁なハンドオーバの調整のための1つまたは複数の是正措置を決定するステップとを含む。本出願で使用する場合、ソースフェムトセルは、モバイルデバイスを別のフェムトセルにハンドオーバしようとしているフェムトセルであり、ターゲットフェムトセルは、ソースフェムトセルがモバイルデバイスをハンドオーバしようとしている先のフェムトセルである。
【０００９】
別の態様では、フェムトセル間でのハンドオーバを調整するための方法は、モバイルデバイスによるフェムトセル間でのハンドオーバを監視するステップと、監視に基づいて、そのモバイルデバイスのためのハンドオーバのトリガに関連する1つまたは複数のパラメータを調整するステップとを含む。方法は、モバイルデバイスの後続のハンドオーバを監視し続けるステップと、モバイルデバイスの後続のハンドオーバの継続監視に基づいて、そのモバイルデバイスのためのハンドオーバのトリガに関連する1つまたは複数のパラメータを再調整するステップとをさらに含む。
【００１０】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に記載する。しかしながら、これらの特徴は、様々な態様の原理が採用され得る様々な方法のうちのいくつかを示すものにすぎず、この説明は、そのようなすべての態様およびそれらの等価物を含むものとする。
【００１１】
開示される態様を限定するためではなく例示するために与えられる添付の図面とともに、開示される態様が以下で説明され、同様の記号表示は同様の要素を示している。
【図面の簡単な説明】
【００１２】
【図１】フェムトセル間での頻繁なハンドオーバの調整を容易にする例示的なシステムのブロック図である。
【図２】一態様による、フェムトセル間での頻繁なハンドオーバの調整を容易にする例示的なシステムのブロック図である。
【図３】頻繁なハンドオーバの調整が実行され得る例示的なシステムの図である。
【図４Ａ】頻繁なハンドオーバを調整するための例示的な方法の一態様のフローチャートである。
【図４Ｂ】頻繁なハンドオーバを調整するための例示的な方法の別態様のフローチャートである。
【図５】頻繁なハンドオーバを調整する例示的なシステムのブロック図である。
【図６】本明細書に記載された様々な態様による例示的なワイヤレス通信システムのブロック図である。
【図７】本明細書で説明する様々なシステムおよび方法と連携して採用され得る例示的なワイヤレスネットワーク環境の説明図である。
【図８】本明細書の態様が実装され得る、いくつかのデバイスをサポートするように構成された例示的なワイヤレス通信システムを示す図である。
【図９】ネットワーク環境内のフェムトセルの展開を可能にする例示的な通信システムの説明図である。
【図１０】いくつかの画定されたトラッキングエリアを有するカバレージマップの一例を示す図である。
【発明を実施するための形態】
【００１３】
次に、図面を参照しながら様々な態様について説明する。以下の記述では、説明の目的で、1つまたは複数の態様の完全な理解を与えるために、多数の具体的な詳細が記載される。しかしながら、そのような態様をこれらの具体的な詳細なしに実践できることは明白であり得る。
【００１４】
様々な態様では、隣接するフェムトセル間でのモバイルデバイスによる頻繁なハンドオーバを調整するためのシステムおよび方法が本明細書で開示される。当技術分野で一般に知られているように、モバイルデバイスは、システム、デバイス、加入者ユニット、加入者局、移動局、モバイル、リモート局、モバイル端末、リモート端末、アクセス端末、ユーザ端末、端末、通信デバイス、ユーザエージェント、ユーザデバイス、またはユーザ機器(UE)と呼ばれることもある。モバイルデバイスは、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、タブレット、コンピューティングデバイス、あるいはモバイルデバイスにセルラーまたはワイヤレスネットワークアクセスを与える1つまたは複数の基地局(BS)にワイヤレスモデムを介して接続された他の処理デバイスであり得る。
【００１５】
基地局(BS)は、（複数の）モバイルデバイスと通信するために利用することができ、アクセスポイント、フェムトノード、ピコノード、マイクロノード、ノードB、発展型ノードB(eNB)、H(e)NBと総称されるホームノードB(HNB)もしくはホーム発展型ノードB(HeNB)、または何らかの他の用語で呼ばれる場合もある。これらの基地局は一般に低電力基地局と見なされる。たとえば、低電力基地局は、ワイヤレスワイドエリアネットワーク(WWAN)に関連するマクロ基地局と比較して、比較的低い電力で送信する。したがって、低電力基地局のカバレージエリアは、マクロ基地局のカバレージエリアよりも実質的に小さい可能性がある。
【００１６】
本明細書で説明する技法は、CDMA、TDMA、FDMA、OFDMA、SC-FDMA、WiFiキャリア検知多重アクセス(CSMA)、および他のシステムなど、様々なワイヤレス通信システムに使用され得る。「システム」および「ネットワーク」という用語は、しばしば互換的に使用される。CDMAシステムは、Universal  Terrestrial  Radio  Access(UTRA)、cdma2000などの無線技術を実装し得る。UTRAは、Wideband-CDMA(W-CDMA)およびCDMAの他の変形形態を含む。さらに、cdma2000は、IS-2000規格、IS-95規格およびIS-856規格をカバーする。TDMAシステムは、Global  System  for  Mobile  Communications(GSM（登録商標）)などの無線技術を実装し得る。OFDMAシステムは、発展型UTRA(E-UTRA)、ウルトラモバイルブロードバンド(UMB)、IEEE802.11(Wi-Fi)、IEEE802.16(WiMAX)、IEEE802.20、Flash-OFDM(登録商標)などの無線技術を実装し得る。UTRAおよびE-UTRAは、Universal  Mobile  Telecommunication  System(UMTS)の一部である。3GPPロングタームエボリューション(LTE)は、ダウンリンク上ではOFDMAを採用し、アップリンク上ではSC-FDMAを採用する、E-UTRAを使用するUMTSのリリースである。UTRA、E-UTRA、UMTS、LTEおよびGSM（登録商標）は、「3rd  Generation  Partnership  Project」(3GPP)と称する組織からの文書に記載されている。加えて、cdma2000およびUMBは、「3rd  Generation  Partnership  Project  2」(3GPP2)と称する組織からの文書に記載されている。さらに、そのようなワイヤレス通信システムは、不対無認可スペクトル、802.xxワイヤレスLAN、BLUETOOTH(登録商標)および任意の他の短距離または長距離ワイヤレス通信技法をしばしば使用するピアツーピア(たとえば、モバイルツーモバイル)アドホックネットワークシステムをさらに含み得る。
【００１７】
いくつかのデバイス、構成要素、モジュールなどを含み得るシステムに関して、様々な態様または特徴が提示される。様々なシステムが、追加のデバイス、構成要素、モジュールなどを含む場合があり、かつ/または図に関して論じられるデバイス、構成要素、モジュールなどのすべてを含むとは限らないことを、理解および諒解されたい。これらの手法の組合せも使用され得る。
【００１８】
図1は、例示的なワイヤレス通信システム100を示す。システム100は、1つまたは複数のデバイスにワイヤレスネットワークへのアクセスを与えることができるマクロ基地局102、ならびにバックホールリンク(図示せず)を介したワイヤレスネットワークアクセスをブロードバンドインターネット接続を介してモバイルネットワークに与えることもできる複数のフェムトノード104、106、108、110、および112を含む。一例では、フェムトノード104、106、108、110、および/または112は他のタイプの低電力基地局、中継ノード、(たとえば、他のデバイスとピアツーピアモードまたはアドホックモードで通信する)デバイスであってよい。各フェムトノードは、フェムトセル(図1には示されていないが、図9を参照しながら以下でより詳細に説明される)を形成する。さらに、システム100は、フェムトノード104および/または106のうちの1つまたは複数と通信してモバイルネットワークへのワイヤレスアクセスを受けるモバイルデバイス114を含む。
【００１９】
図示されたフェムトセル展開では、各フェムトセルの小さいカバレージエリアにより、アクティブな高速モバイルデバイス114は、隣接するフェムトセル(たとえば、フェムトノード104、106、108、110、および112)間での頻繁なハンドオーバを行うことがある。加えて、静止しているまたは低速で移動するモバイルデバイス114でさえ、異なるフェムトノードからのパイロット信号がほぼ同じ強度である(すなわち、パイロット汚染)場所にモバイルデバイス114が存在する場合、チャネルフェージングにより、頻繁なハンドオーバを経験する可能性がある。フェムトセル間でのこれらの頻繁なハンドオーバは、音声アーティファクトおよび/またはパケット遅延および/または劣悪なユーザエクスペリエンスにつながるパケットロスを引き起こすだけでなく、フェムトノードおよび/またはコアネットワークにおけるシグナリング負荷を増大させる可能性があるので、望ましくない。したがって、フェムトセル間でのそのような頻繁なモバイルデバイスのハンドオーバを調整することが望ましい。
【００２０】
図2は、隣接するフェムトセル間での頻繁なモバイルデバイスのハンドオーバを調整するための例示的なシステム200を示す。システム200は、実質的に任意の低電力基地局であり得るフェムトノード202を含み、一例では、本明細書で説明するように、フェムトノード104、106、108、110、および/または112(図1)のうちの1つまたは複数を含むことができる。一般に、フェムトノード202は、頻繁なハンドオーバ判定構成要素206、ハンドオーバ分類構成要素208、およびハンドオーバ調整構成要素210を含む。構成要素の各々については、以下でより詳細に説明する。
【００２１】
頻繁なハンドオーバ判定構成要素206は、隣接するフェムトノードからのハンドオーバの結果として、最近フェムトノード202に接続されたモバイルデバイス114が、頻繁なハンドオーバの対象になるかどうかを判定するように構成される。代替として、頻繁なハンドオーバ判定構成要素206は、フェムトノード202に接続されているが、ハンドオーバの結果として隣接するフェムトノードに接続しようとしているモバイルデバイス114が、頻繁なハンドオーバの対象になるかどうかを判定するように構成され得る。一態様では、モバイルデバイス114が頻繁なハンドオーバを受けるかどうかを判定するために、フェムトノード202の構成要素206は、モバイルデバイスのハンドオーバ情報を取得するように構成され得る。たとえば、UMTS/LTEシステムでは、デバイスのハンドオーバ情報は、ソースフェムトセルからターゲットフェムトセルへのハンドオーバ中に渡され得る「UE履歴情報(UE  History  Information)」情報要素(IE)から取得され得る。このIEは、ターゲットセルより前にアクティブ状態でモバイルデバイスにサービスされていた(たとえば、最大16個の)フェムトセルについての情報を含む。これらのセルの各々について、このIEは、セル識別情報、セルタイプ(たとえば、マクロ、フェムトなど)およびモバイルデバイスがそのセルにとどまっていた時間を含む。
【００２２】
モバイルデバイスのハンドオーバ履歴情報を取得すると、頻繁なハンドオーバ判定構成要素206は、モバイルデバイス114が頻繁なハンドオーバの対象になるかどうかを判定するためのいくつかの機構のうちの1つを実行し得る。一態様では、構成要素206は、過去のフェムトセル上でモバイルデバイスが費やした平均時間に基づいて、頻繁なハンドオーバを判定し得る。たとえば、構成要素206は、モバイルデバイスが最後の「n1」セルにわたって各フェムトセルにおいてとどまっていた平均時間を計算し得、「n1」は最適化され得るパラメータである。さらに、平均をとっている間に、等しいまたは等しくない重みが、各セルにおいてモバイルデバイスが費やした時間に与えられ得る。次いで、頻繁なハンドオーバ判定構成要素206が、計算された「平均ハンドオーバ時間」が一定の閾値パラメータ(たとえば、数秒間)未満であると判定した場合、モバイルデバイス114が頻繁なハンドオーバを行っていると結論付けられ得る。ハンドオーバが「頻繁」であると見なされるかどうかを判定するための閾値パラメータは、シミュレーション、システム要件、ユーザエクスペリエンスに及ぼす影響、ハンドオーバに起因するモバイル端末によってドロップされた呼の数、システムによって提供されるサービス品質の低下(たとえば、オーディオ/ビデオコンテンツのストリーミング品質の低下)または他の基準に基づいて選択され得る。
【００２３】
別の態様では、頻繁なハンドオーバ判定構成要素206は、1つまたは複数のフェムトセル上でモバイルデバイスが費やした時間に基づいて、頻繁なハンドオーバを判定し得る。たとえば、構成要素206は、各セルにおいてセルで費やされた時間が<Tminである場合、最後の「n2」セルをチェックし得、Tminは、それを下回るとハンドオーバが高速ハンドオーバと見なされ得る時間閾値である。Tminパラメータは、シミュレーション、システム要件、ユーザエクスペリエンスに及ぼす影響、ハンドオーバに起因するモバイル端末によってドロップされた呼の数、システムによって提供されるサービス品質の低下(たとえば、オーディオ/ビデオコンテンツのストリーミング品質の低下)または他の基準に基づいて選択され得る。構成要素206が、最後の「n2」ハンドオーバのうち、「x2」が高速ハンドオーバであったと判定した場合、モバイルデバイスは頻繁なハンドオーバを行っていると見なされる。パラメータ「n2」および「x2」は、アルゴリズム要件に基づいて選ばれ得る。一態様では、「x2」=「n2」である場合、すべての最後のハンドオーバが高速ハンドオーバと見なされるべきであることを暗示している。
【００２４】
一態様では、構成要素206は、説明した頻繁なハンドオーバ判定方式のうちの1つまたはこれらのもしくは他の方式の組合せのいずれかを選び得る。
【００２５】
別の態様では、頻繁なハンドオーバ判定構成要素206は、頻繁なハンドオーバを異なるサブカテゴリーに分割するようにさらに構成され得る。たとえば、一方のカテゴリーは、ユーザエクスペリエンスに及ぼす影響が非常に重大である、「超高速/頻繁な」ハンドオーバとすることができる。他方のカテゴリーは、ユーザに及ぼす影響は望ましくないが、「超高速/頻繁な」ハンドオーバほど重大ではない、ただの「高速/頻繁な」ハンドオーバとすることができる。各サブカテゴリーについて、構成要素206は、説明した頻繁なハンドオーバ判定方式のうちの1つまたはこれらのもしくは他の方式の組合せのいずれか１つを選び得る。
【００２６】
モバイルデバイス114が頻繁なハンドオーバを行っていると判定すると、システム200は、ハンドオーバ分類構成要素208を使用して、頻繁なハンドオーバのタイプまたは推定される原因を分類し得る。一態様では、頻繁なハンドオーバは、ピンポンハンドオーバまたは高速で移動するハンドオーバに分類され得る。この分類は限定的なものではなく、他の態様では、頻繁なハンドオーバの異なる種類が使用され得る。
【００２７】
一態様では、ピンポンハンドオーバは、以下の3つの理由のうちの1つまたは複数で生じ得る。1)モバイルデバイス114が2つのフェムトセルのエッジにあり、チャネルフェージングを行っている、2)モバイルデバイス114がパイロット汚染エリアにあり、パイロット汚染エリアでは、モバイルデバイス114が、各パイロット信号がほぼ強度を有する、異なるフェムトノードからのいくつかのパイロット信号を見る可能性があり、チャネルフェージングまたは遅いユーザモビリティがある、および3)モバイルデバイス114が2つ以上のフェムトセルの間であまりにも迅速に行き来している。当業者は、ピンポンハンドオーバの他の理由があり得ることを諒解されよう。
【００２８】
モバイルデバイス114がピンポンハンドオーバを行っているかどうかを判定するために、システム200のハンドオーバ分類構成要素208は最初に、モバイルデバイスの「UE履歴情報(UE  History  Information)」IEから過去のサービングセルを識別し得る。たとえば、「最後に訪れたUTRANセル情報(Last  Visited  UTRAN  Cell  Information)」IEまたは「最後に訪れたE-UTRANセル情報(Last  Visited  E-UTRAN  Cell  Information)」IEにおける「セルID(Cell  ID)」/「PLMN識別情報(PLMN  identity)」フィールドはこの目的で使用され得る。次いで、構成要素208は、以下の条件のうちの1つまたは複数をチェックし得る。条件1  -  最後の「np」ハンドオーバが、現在のセルのRFネイバーであるセル間で生じたかどうかをチェックする。上記の条件は、図3に示すように、モバイルデバイス114が2つのフェムトセルのエッジにあるか、またはパイロット汚染エリアに存在しているシナリオに対処する。条件2  -  最後の「np」ハンドオーバにおいて、セルのセル識別情報が「xp」回繰り返したかどうかをチェックする。構成要素208は、上記の条件のうちの1つまたは両方が満たされる場合、ハンドオーバを「ピンポン」ハンドオーバに分類し得る。当業者は、ハンドオーバをピンポンハンドオーバに分類するために使用され得る他の条件があり得ることを諒解されよう。
【００２９】
高速で移動するハンドオーバは、高速モバイルデバイスにより生じる場合があり、たとえば、車上モバイルデバイス、すなわち車両内のモバイルデバイスは、いくつかのフェムトセル(たとえば、図1のフェムトノード104、106、108、110、および/または112)の過去のカバレージを通過して移動し得る。一態様では、ハンドオーバ分類構成要素208は、ピンポンハンドオーバの基準1または2を満たさないすべてのハンドオーバを「高速で移動するハンドオーバ」のカテゴリーに分類し得る。
【００３０】
頻繁なハンドオーバをピンポンハンドオーバまたは高速で移動するハンドオーバに分類すると、システム200は、ハンドオーバ調整構成要素210を使用して、モバイルデバイス114のハンドオーバを調整し得る。一態様では、構成要素210は、頻繁なハンドオーバの判定および分類に基づいた以下の規則/動作を使用し得る。
【００３１】
ハンドオーバが「頻繁なハンドオーバ」であり、「高速で移動するハンドオーバ」に分類される場合、フェムトノード202は、その他の搬送波(たとえば、異なるRFチャネル)または無線技術でマクロセルへの周波数間またはRAT間ハンドオーバを開始することができる。このハンドオーバは、マクロセル搬送波に関するモバイルデバイス測定報告に基づいて、または測定報告なしで(たとえば、ブラインドハンドオーバ)のいずれかで開始され得る。一態様では、このタイプの調整の目的は、高速で移動するモバイルデバイスをクリーンなマクロセル搬送波に送ることであり、クリーンなマクロセル搬送波では、マクロセルの大きいカバレージおよびマクロセル間でのソフトハンドオーバの利用可能性により、ハンドオーバの数が低減されることになる。
【００３２】
ハンドオーバが「頻繁なハンドオーバ」であり、「ピンポンハンドオーバ」に分類される場合、フェムトノード202は、このモバイルデバイスについて、相互通信する(または隣接する)セル間でのハンドオーバをより困難にし得る。たとえば、UMTSでは、これを実現する1つの方法は、「測定制御(Measurement  Control)」メッセージにおいてモバイルデバイスによってハンドオーバイベントをトリガするために使用されるパラメータを異なるように構成することによるものになろう。たとえば、ヒステリシス(Hysteresis)パラメータおよびトリガまでの時間(TTT:  Time-to-Trigger)パラメータの値を増加させることは、すべてのフェムトセルに対するハンドオーバイベントのトリガを遅延させる。報告範囲定数(Reporting  Range  Constant)パラメータの値を減少させることは、フェムトセルに対するハンドオーバイベントのトリガを遅延させ得る。フェムトセルのセル個別オフセット(CIO:  Cell  Individual  Offset)パラメータの値を減少させることは、そのセルに対してハンドオーバイベントをトリガする際の遅延を減少させ得る。他のパラメータとしては、限定はしないが、測定識別情報パラメータ、イベント識別情報パラメータ、イベントタイプパラメータ、測定タイプパラメータ、報告間隔パラメータ、報告量パラメータ、閾値パラメータ、フィルタ係数パラメータ、使用CIOパラメータ、測定対象セルパラメータ、圧縮モードパラメータがあり得る。パラメータの上記のリストは網羅的なものではなく、モバイルデバイスとフェムトノードの両方においてハンドオーバイベントをトリガする他のパラメータが他の態様で構成され得る。
【００３３】
代替として、フェムトノード202は、ピンポンハンドオーバに関与するセルへのハンドオーバを遅延させることができる。たとえば、モバイルデバイス114がハンドオーバのためにフェムトセルによって使用されるイベントをトリガした後、フェムトノード202は、ハンドオーバについて決定するための通常の時間よりも長い間、そのセルに報告を継続するようモバイルデバイスに依頼することができる。しかし、相互通信するセルへのハンドオーバを遅延させることがうまくいかない(たとえば、頻繁なハンドオーバが続いている)場合、上記で説明したように、フェムトノード202によってマクロセルへの周波数間ハンドオーバが開始され得る。
【００３４】
一態様では、「頻繁なハンドオーバ」に異なるサブカテゴリー、たとえば、「超高速/頻繁な」ハンドオーバのサブカテゴリー、およびただの「高速/頻繁な」ハンドオーバのサブカテゴリーが使用される場合、ハンドオーバの分類はいくつかまたはすべてのカテゴリーについて無視され得る。
【００３５】
別の態様では、システム200は「頻繁なハンドオーバ」メトリックのみ、またはハンドオーバの分類のみを使用して、上記で説明したハンドオーバ調整動作について決定し得る。
【００３６】
図4Aおよび図4Bは、フェムトセル間での頻繁なハンドオーバの調整のための例示的な方法を示す。説明を簡単にするために、方法は一連の動作として示され、説明されているが、いくつかの動作は、1つまたは複数の実施形態によれば、本明細書で示され、説明される順序とは異なる順序でおよび/または他の動作と同時に行われ得るので、方法は動作の順序によって限定されないことを理解し、諒解されたい。たとえば、方法は代替的に、状態図におけるものなどの、一連の相互に関係する状態またはイベントとして表され得ることを諒解されたい。さらに、1つまたは複数の実施形態に従って方法を実装するために、すべての説明した動作が必要とされるとは限らない。
【００３７】
図4Aを参照すると、頻繁なハンドオーバの調整を容易にする例示的な方法400が表示されている。一態様では、たとえば、方法400は、フェムトノード202などのフェムトノード、またはその1つもしくは複数の構成要素上に記憶された命令において定義され、説明した動作を実行するようにプロセッサによって実行され得る。ステップ402において、フェムトノードは、隣接するフェムトノードからのハンドオーバの結果として、最近フェムトノードに接続された、またはフェムトノードに接続されているが、ハンドオーバの結果として、隣接するフェムトノードに接続しようとしているモバイルデバイスのハンドオーバ履歴情報を取得する。一態様では、デバイスのハンドオーバ情報は、ソースフェムトセルからターゲットフェムトセルへのハンドオーバ中に渡され得る「UE履歴情報(UE  History  Information)」情報要素(IE)から取得され得る。このIEは、ターゲットセルの前にアクティブ状態でモバイルデバイスにサービスしていた(たとえば、最大16個の)フェムトセルについての情報を含む。これらのセルの各々について、IEは、セル識別情報、セルタイプ(たとえば、マクロ、フェムトなど)およびモバイルデバイスがそのセルにとどまっていた時間を含む。
【００３８】
ステップ404において、フェムトノードは、デバイスのハンドオーバ履歴に基づいて、モバイルデバイスが頻繁なハンドオーバの対象になるかどうかを判定する。一態様では、この判定はモバイルデバイスの平均ハンドオーバ時間に基づき得る。たとえば、フェムトノードは、モバイルデバイスが最後の「n1」セルにわたって各フェムトセルにおいてとどまっていた平均時間を計算し得る。計算された「平均ハンドオーバ時間」が一定の閾値パラメータ(たとえば、２−３秒間)未満である場合、モバイルデバイスが頻繁なハンドオーバを行っていると結論付けられ得る。別の態様では、フェムトノードは、ハンドオーバごとの時間に基づいて頻繁なハンドオーバを判定し得る。たとえば、フェムトノードは、各セルにおいてセルで費やされた時間が<Tminである場合、最後の「n2」セルをチェックし得、Tminは、それを下回るとハンドオーバが高速ハンドオーバと見なされ得る時間閾値である。最後の「n2」ハンドオーバのうち、「x2」が高速ハンドオーバであった場合、モバイルデバイスは頻繁なハンドオーバを行っていると見なされる。
【００３９】
ステップ406において、フェムトノードは、頻繁なハンドオーバをピンポンハンドオーバまたは高速で移動するハンドオーバに分類し得る。モバイルデバイスがピンポンハンドオーバを行っているかどうかを判定するために、フェムトノードは最初に、デバイスのハンドオーバ履歴からモバイルデバイスの過去のサービングセルを識別し、次いで、以下の条件のうちの1つまたは複数をチェックし得る。条件1  -最後の「np」ハンドオーバが、現在のセルのRFネイバーであるセル間で生じたかどうかをチェックする、および条件2  -最後の「np」ハンドオーバにおいて、セルのセル識別情報が「xp」回繰り返したかどうかをチェックする。フェムトノードは、上記の条件のうちの1つまたは両方が満たされる場合、モバイルデバイスのハンドオーバを「ピンポン」ハンドオーバに分類し得る。ピンポンハンドオーバの条件1または2を満たさないすべての他のハンドオーバは、「高速で移動するハンドオーバ」に分類され得る。
【００４０】
ステップ408において、フェムトノードはハンドオーバ調整動作を選択し得る。たとえば、ハンドオーバが「頻繁なハンドオーバ」であり、「高速で移動するハンドオーバ」に分類される場合、フェムトノードは、その他の搬送波または無線技術でマクロセルへの周波数間またはRAT間ハンドオーバを開始することができる。ハンドオーバが「頻繁なハンドオーバ」であり、「ピンポンハンドオーバ」に分類される場合、フェムトノードは、たとえば、フェムトセルおよび/またはモバイルデバイスのハンドオーバトリガパラメータを調整することによって、このモバイルデバイスについて、相互通信する(または隣接する)セル間でのハンドオーバをより困難にし得る。また、フェムトノードは、フェムトセルおよび/またはモバイルデバイスのハンドオーバトリガパラメータを段階的に調整することによって、この難易度を段階的に高め得る。代替として、フェムトノードは、ピンポンハンドオーバに関与するセルへのハンドオーバを遅延させることができる。上記で説明した頻繁なハンドオーバ調整動作がうまくいかない場合、フェムトセルは、フォールバックオプションとして、コロケートされたマクロセルへの周波数間またはRAT間ハンドオーバを開始することができる。
【００４１】
図4Bを参照すると、頻繁なハンドオーバのマルチステップ調整を容易にする別の例示的な方法410が表示されている。一態様では、たとえば、方法410は、フェムトノード202などのフェムトノード、またはその1つもしくは複数の構成要素上に記憶された命令において定義され、説明した動作を実行するようにプロセッサによって実行され得る。ステップ412において、フェムトノードは、モバイルデバイスによるフェムトセル間でのハンドオーバを監視し得る。ステップ414において、フェムトノードは、監視に基づいて、そのモバイルデバイスのためのハンドオーバのトリガに関連する1つまたは複数のパラメータを調整することができる。パラメータ調整の例は上記で提供されている。ステップ416において、フェムトノードは、モバイルデバイスの後続のハンドオーバを監視し続け得る。そして、ステップ418において、フェムトノードは、モバイルデバイスの後続のハンドオーバの監視に基づいて、そのモバイルデバイスのためのハンドオーバのトリガに関連する1つまたは複数のパラメータを再調整し得る。調整される/再調整されるパラメータとしては、限定はしないが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータがあり得る。
【００４２】
一般に、方法410は、たとえば、ハンドオーバをより困難にするために、いくつかのステップでピンポンハンドオーバを遅延させるためのハンドオーバトリガパラメータの調整/再調整を容易にする。これは、ハンドオーバの誤分類の場合に特に有益であり得る。すなわち、車上UE(たとえば、高速で移動するUE)がピンポンUEに誤分類された場合、ハンドオーバのトリガは急に過度に遅延されず、呼が存続するのに役立つ。方法410は、高速で移動するUEの検出がハンドオーバをより迅速に生じさせるためのパラメータの変更をもたらす場合にも適用可能である。加えて、方法410は、相互通信するUEがピンポン領域から出て、ハンドオーバトリガパラメータを、UEがピンポン領域に入る前に使用されていた元の値に戻すように調整する場合にも使用され得る。
【００４３】
図5は、頻繁なハンドオーバを調整するためのシステム500を示す。たとえば、システム500は、少なくとも部分的にフェムトノード内に常駐し得る。システム500は、プロセッサ、ソフトウェア、またはそれらの組合せ(たとえば、ファームウェア)によって実装された機能を表す機能ブロックであり得る、機能ブロックを含むものとして表されていることを諒解されたい。システム500は、連携して動作することができる電気的構成要素の論理グルーピング502を含む。たとえば、論理グルーピング502は、たとえば、モバイルデバイスのハンドオーバ履歴を使用して、頻繁なハンドオーバを判定するための電気的構成要素504を含むことができる。さらに、論理グルーピング502は、頻繁なハンドオーバをピンポンハンドオーバまたは高速で移動するハンドオーバに分類するための電気的構成要素506を含むことができる。たとえば、論理グルーピング502は、ハンドオーバ分類に基づいて頻繁なハンドオーバを調整するための電気的構成要素508を含むことができる。
【００４４】
加えて、システム500は、電気的構成要素504、506、および508に関連する機能を実行するための命令を保持するメモリ510を含むことができる。メモリ510の外部にあるものとして示されているが、電気的構成要素504、506、および508のうちの1つまたは複数は、メモリ510内に存在し得ることを理解されたい。一例では、電気的構成要素504、506、および508は、少なくとも1つのプロセッサを備えることができ、または各電気的構成要素504、506、および508は、少なくとも1つのプロセッサの対応するモジュールとすることができる。さらに、追加または代替の例では、電気的構成要素504、506、および508はコンピュータ可読媒体を備えるコンピュータプログラム製品とすることができ、各電気的構成要素504、506、および508は対応するコードとすることができる。
【００４５】
次に図6を参照すると、高速ハンドオーバの調整のための機構が実装され得るワイヤレス通信システム600が示される。システム600は基地局602を含み、基地局602はノード102もしくは202またはシステム500などのフェムトノードであってもよく、構成要素を含み、図1〜図5に関して上記で説明した機能を実装し得る。一態様では、基地局602は複数のアンテナグループを含むことができる。たとえば、1つのアンテナグループはアンテナ604および606を含むことができ、別のグループはアンテナ608および610を含むことができ、追加のグループはアンテナ612および614を含むことができる。アンテナグループごとに2つのアンテナが示されているが、グループごとにより多いか、またはより少ないアンテナを利用することができる。基地局602は、送信機チェーンおよび受信機チェーンを追加として含むことができ、それらの各々は、諒解されるように、信号の送信および受信に関連する複数の構成要素(たとえば、プロセッサ、変調器、マルチプレクサ、復調器、デマルチプレクサ、アンテナなど)を備えることができる。
【００４６】
基地局602は、モバイルデバイス616およびモバイルデバイス622などの1つまたは複数のモバイルデバイスと通信することができるが、基地局602は、モバイルデバイス616および622と同様の実質的に任意の数のモバイルデバイスと通信することができることを諒解されたい。モバイルデバイス616および622は、たとえば、セルラー電話、スマートフォン、ラップトップ、ハンドヘルド通信デバイス、ハンドヘルドコンピューティングデバイス、衛星無線、全地球測位システム、PDA、および/または、ワイヤレス通信システム600を介して通信するための任意の他の適切なデバイスであり得る。図示のように、モバイルデバイス616は、アンテナ612および614と通信中であり、ここでアンテナ612および614は、順方向リンク618を介してモバイルデバイス616に情報を送信し、逆方向リンク620を介してモバイルデバイス616から情報を受信する。さらに、モバイルデバイス622は、アンテナ604および606と通信中であり、ここでアンテナ604および606は、順方向リンク624を介してモバイルデバイス622に情報を送信し、逆方向リンク626を介してモバイルデバイス622から情報を受信する。周波数分割複信(FDD)システムでは、たとえば、順方向リンク618は、逆方向リンク620によって使用される周波数帯域とは異なる周波数帯域を利用することができ、順方向リンク624は、逆方向リンク626によって採用される周波数帯域とは異なる周波数帯域を採用することができる。さらに、時分割複信(TDD)システムでは、順方向リンク618および逆方向リンク620は、共通の周波数帯域を利用することができ、順方向リンク624および逆方向リンク626は、共通の周波数帯域を利用することができる。
【００４７】
アンテナの各グループおよび/またはアンテナが通信するように指定されたエリアは、基地局602のセクタと呼ぶことができる。たとえば、アンテナグループは、基地局602によってカバーされるエリアのセクタ内のモバイルデバイスと通信するように設計することができる。順方向リンク618および624を介した通信では、基地局602の送信アンテナはビームフォーミングを利用して、モバイルデバイス616用の順方向リンク618およびモバイルデバイス622用の順方向リンク624の信号対雑音比を改善することができる。また、基地局602はビームフォーミングを利用して、関連するカバレージを介して不規則に分散したモバイルデバイス616および622に送信するが、隣接セル内のモバイルデバイスは、単一のアンテナを介してすべてのそのモバイルデバイスに送信する基地局と比較して、干渉を被る可能性が少ない。さらに、モバイルデバイス616および622は、図示のように、ピアツーピアまたはアドホック技術を使用して、互いに直接通信することができる。一例によれば、システム600は多入力多出力(MIMO)通信システムであり得る。
【００４８】
図7は、例示的なワイヤレス通信システム700を示す。ワイヤレス通信システム700は、簡潔にするために、フェムトノードを含むことができる1つの基地局710、および1つのモバイルデバイス750を図示している。しかしながら、システム700は、2つ以上の基地局および/または2つ以上のモバイルデバイスを含むことができ、さらなる基地局および/またはモバイルデバイスは、以下で説明する例示的な基地局710およびモバイルデバイス750と実質的に同様か、または異なる可能性があることを諒解されたい。加えて、基地局710および/またはモバイルデバイス750は、本明細書で説明するシステム(図1、図2、図3、図5および図6)および/または方法(図4)を採用して、それらの間のワイヤレス通信を容易にすることができることを諒解されたい。たとえば、本明細書で説明するシステムの構成要素もしくは機能および/または方法は、以下で説明するメモリ732および/もしくは772、またはプロセッサ730および/もしくは770の一部とすることができ、かつ/あるいは、プロセッサ730および/もしくは770によって実行されて、開示した機能を実行することができる。
【００４９】
基地局710で、いくつかのデータストリームのトラフィックデータが、データソース712から送信(TX)データプロセッサ714に供給される。一例によれば、各データストリームは、それぞれのアンテナを介して送信することができる。TXデータプロセッサ714は、そのデータストリーム用に選択された特定の符号化方式に基づいて、トラフィックデータストリームをフォーマットし、符号化し、インターリーブして、符号化データを供給する。
【００５０】
各データストリームの符号化データは、直交周波数分割多重(OFDM)技法を使用して、パイロットデータとともに多重化することができる。追加または代替として、パイロットシンボルは、周波数分割多重(FDM)、時分割多重(TDM)、または符号分割多重(CDM)であり得る。パイロットデータは、通常、既知の様式で処理され、かつモバイルデバイス750で使用されて、チャネル応答を推定することができる既知のデータパターンである。データストリームごとに多重化されたパイロットデータと符号化データは、そのデータストリーム用に選択された特定の変調方式(たとえば、2位相シフトキーイング(BPSK)、4位相シフトキーイング(QPSK)、M位相シフトキーイング(M-PSK)、M直角位相振幅変調(M-QAM)など)に基づいて、変調(たとえば、シンボルマップ)されて、変調シンボルを供給することができる。データストリームごとのデータレート、符号化、および変調は、プロセッサ730によって実行または提供された命令によって決定することができる。
【００５１】
データストリーム用の変調シンボルをTX  MIMOプロセッサ720に供給することができ、TX  MIMOプロセッサ720は、さらに(たとえば、OFDM用の)変調シンボルを処理することができる。次いで、TX  MIMOプロセッサ720は、NT個の変調シンボルストリームをNT個の送信機(TMTR)722a〜722tに供給する。様々な実施形態では、TX  MIMOプロセッサ720は、データストリームのシンボル、およびシンボルがそこから送信されるアンテナに、ビームフォーミング重みを加える。
【００５２】
各送信機722は、それぞれのシンボルストリームを受信および処理して、1つまたは複数のアナログ信号を供給し、さらにアナログ信号を調整(たとえば、増幅、フィルタリング、およびアップコンバート)して、MIMOチャネルを介した送信に適した変調信号を供給する。さらに、送信機722a〜722tからのNT個の変調信号が、それぞれNT個のアンテナ724a〜724tから送信される。
【００５３】
モバイルデバイス750で、送信された変調信号は、NR個のアンテナ752a〜752rによって受信され、各アンテナ752から受信された信号は、それぞれの受信機(RCVR)754a〜754rに供給される。各受信機754は、それぞれの信号を調整(たとえば、フィルタリング、増幅、およびダウンコンバート)し、調整された信号をデジタル化してサンプルを供給し、さらにそのサンプルを処理して対応する「受信」シンボルストリームを供給する。
【００５４】
RXデータプロセッサ760は、NR個の受信機754からNR個の受信シンボルストリームを受信し、特定の受信機処理技法に基づいて処理して、NT個の「検出」シンボルストリームを供給することができる。RXデータプロセッサ760は、検出された各シンボルストリームを復調し、デインターリーブし、かつ復号して、データストリーム用のトラフィックデータを復元することができる。RXデータプロセッサ760による処理は、基地局710でのTX  MIMOプロセッサ720およびTXデータプロセッサ714によって実行された処理と相補関係にある。
【００５５】
逆方向リンクメッセージは、通信リンクおよび/または受信データストリームに関する様々なタイプの情報を含むことができる。逆方向リンクメッセージは、データソース736からいくつかのデータストリーム用のトラフィックデータも受信するTXデータプロセッサ738によって処理され、変調器780によって変調され、送信機754a〜754rによって調整され、基地局710に送り返すことができる。
【００５６】
基地局710で、モバイルデバイス750からの変調信号は、アンテナ724によって受信され、受信機722によって調整され、復調器740によって復調され、RXデータプロセッサ742によって処理されて、モバイルデバイス750によって送信される逆方向リンクメッセージを抽出する。さらに、プロセッサ730は、抽出されたメッセージを処理して、ビームフォーミング重みを決定するためにどのプリコーディング行列を使用するかを判定することができる。
【００５７】
プロセッサ730および770は、それぞれ基地局710およびモバイルデバイス750での動作を指示(たとえば、制御、調整、管理など)することができる。それぞれのプロセッサ730および770は、プログラムコードおよびデータを記憶するメモリ732および772に関連付けることができる。プロセッサ730および770は、1つまたは複数のフェムトノード用のページングエリア識別子を選択することをサポートするための本明細書で説明する機能を実行することもできる。
【００５８】
図8は、本明細書の教示が実装され得る、何人かのユーザをサポートするように構成されたワイヤレス通信システム800を示す。システム800は、たとえば、マクロセル802A〜802Gなどの複数のセル802用の通信を提供し、各セルは、対応するアクセスノード804(たとえば、アクセスノード804A〜804G)によってサービスされる。図8に示すように、モバイルデバイス806(たとえば、モバイルデバイス806A〜806L)は、時間とともにシステム全体にわたって様々な位置に分散する可能性がある。各モバイルデバイス806は、たとえば、モバイルデバイス806がアクティブであるかどうか、およびソフトハンドオフにあるかどうかに応じて、所与のときに順方向リンク(FL)および/または逆方向リンク(RL)上の1つまたは複数のアクセスノード804と通信することができる。ワイヤレス通信システム800は、広い地理的領域にわたってサービスを提供することができる。いくつかの態様では、デバイス806A、806H、および806Jなどのモバイルデバイス806のうちのいくつかは、ノード102もしくは202またはシステム500などのフェムトノードであってもよく、構成要素を含み、図1〜図5に関して上記で説明した機能を実装し得る。
【００５９】
図9は、1つまたは複数のフェムトノードがネットワーク環境内に展開される、例示的な通信システム900を示す。具体的には、システム900は、一態様では、図1〜図5のフェムトノード104、106、108、110、および112に対応し得る、比較的小さい規模のネットワーク環境に(たとえば、1つまたは複数のユーザの住宅930に)設置された複数のフェムトノード910Aおよび910B(たとえば、フェムトセルノードまたはH(e)NB)を含む。各フェムトノード910は、デジタル加入者回線(DSL)ルータ、ケーブルモデム、ワイヤレスリンク、または他の接続手段(図示せず)を介して、ワイドエリアネットワーク940(たとえば、インターネット)およびモバイル事業者コアネットワーク950に結合することができる。以下で論じるように、各フェムトノード910は、関連するモバイルデバイス920(たとえば、モバイルデバイス920A)、および場合によっては異種のモバイルデバイス920(たとえば、モバイルデバイス920B)にサービスするように構成することができる。言い換えれば、フェムトノード910に対するアクセスは、所与のモバイルデバイス920が1組の指定された(たとえば、ホーム)フェムトノード910によってサービスされ得るが、任意の指定されていないフェムトノード910(たとえば、隣接するフェムトノード)によってサービスされ得ないように、制限することができる。
【００６０】
図10は、各々がいくつかのマクロカバレージエリア1004を含むいくつかのトラッキングエリア1002(またはルーティングエリアまたはロケーションエリア)が画定された、カバレージマップ1000の一例を示す。ここでは、トラッキングエリア1002A、1002Bおよび1002Cに関連するカバレージのエリアが太線によって示され、マクロカバレージエリア1004が六角形によって表されている。トラッキングエリア1002は、構成要素を含み、図1〜図5に関して上記で説明した機能を実装し得る、ノード102もしくは202またはシステム500などのそれぞれのフェムトノードに対応するフェムトカバレージエリア1006も含む。この例では、フェムトカバレージエリア1006の各々(たとえば、フェムトカバレージエリア1006C)は、マクロカバレージエリア1004(たとえば、マクロカバレージエリア1004B)内に描かれている。しかしながら、フェムトカバレージエリア1006は、完全にマクロカバレージエリア1004内にあるとは限らないことを諒解されたい。実際には、多数のフェムトカバレージエリア1006は、所与のトラッキングエリア1002またはマクロカバレージエリア1004で画定することができる。また、1つまたは複数のピコカバレージエリア(図示せず)は、所与のトラッキングエリア1002またはマクロカバレージエリア1004内に画定することができる。
【００６１】
再び図9を参照すると、フェムトノード910の所有者は、たとえば、モバイル事業者コアネットワーク950を介して提供される、3Gモバイルサービスなどのモバイルサービスに加入することができる。別の例では、ワイヤレスネットワークのカバレージを拡大するために、モバイル事業者コアネットワーク950によってフェムトノード910を動作させることができる。加えて、モバイルデバイス920は、マクロ環境内と、より小規模(たとえば、住宅)のネットワーク環境内の両方で動作可能であり得る。したがって、たとえば、モバイルデバイス920の現在の位置に応じて、モバイルデバイス920は、マクロセルアクセスノード960によって、または1組のフェムトノード910(たとえば、対応するユーザの住居930内に存在するフェムトノード910Aおよび910B)のうちのいずれか1つによってサービスされ得る。たとえば、加入者が自分の家の外部にいるときは、加入者は標準的なマクロセルアクセスノード(たとえば、ノード960)によってサービスされ、加入者が家にいるときは、加入者はフェムトノード(たとえば、ノード910A)によってサービスされる。ここで、フェムトノード910は、既存のモバイルデバイス920との後方互換性があり得ることを諒解されたい。
【００６２】
フェムトノード910は、単一の周波数上か、または代替として、複数の周波数上に展開することができる。特定の構成に応じて、単一の周波数、または複数の周波数のうちの1つもしくは複数は、マクロセルアクセスノード(たとえば、ノード960)によって使用される1つまたは複数の周波数と重なる可能性がある。いくつかの態様では、モバイルデバイス920は、そのような接続が可能であるときはいつでも、好ましいフェムトノード(たとえば、モバイルデバイス920のホームフェムトノード)に接続するように構成することができる。たとえば、モバイルデバイス920がユーザの住居930内にあるときはいつでも、モバイルデバイス920はホームフェムトノード910と通信することができる。
【００６３】
いくつかの態様では、モバイル920がモバイル事業者コアネットワーク950内で動作するが、(たとえば、好ましいローミングリスト内に規定されたような)その最も好ましいネットワーク上に存在していない場合、より良いシステムが現在利用可能かどうかを判定するための利用可能なシステムの周期的走査、およびそのような好ましいシステムに関連付けるためのその後の努力を含み得るBetter  System  Reselection(BSR)を使用して、モバイルデバイス920は最も好ましいネットワーク(たとえば、フェムトノード910)を探し続けることができる。一例では、(たとえば、好ましいローミングリスト内の)取得テーブル項目を使用して、モバイルデバイス920は特定の帯域およびチャネルに対する探索を制限することができる。たとえば、最も好ましいシステムに対する探索は、周期的に繰り返すことができる。フェムトノード910などの好ましいフェムトノードが発見されると、モバイルデバイス920は、そのカバレージエリア内のキャンピング用にフェムトノード910を選択する。
【００６４】
フェムトノードは制限される可能性がある。たとえば、所与のフェムトノードは、特定のモバイルデバイスに特定のサービスを提供することしかできない。いわゆる制限された(または限定された)関連付けを有する展開では、所与のモバイルデバイスは、マクロセルモバイルネットワークおよび規定されたセットのフェムトノード(たとえば、対応するユーザの住居930内に存在するフェムトノード910)のみによってサービスされ得る。いくつかの実装形態では、フェムトノードは、少なくとも1つのモバイルデバイスに、シグナリング、データアクセス、登録、ページング、またはサービスのうちの少なくとも1つを提供しないように制限され得る。
【００６５】
いくつかの態様では、(限定加入者グループH(e)NBと呼ばれることもある)制限フェムトノードは、制限付きの供給されたセットのモバイルデバイスにサービスを提供するフェムトノードである。このセットは、必要に応じて一時的または永続的に拡張することができる。いくつかの態様では、限定加入者グループ(CSG)は、モバイルデバイスの共通アクセス制御リストを共有するアクセスノード(たとえば、フェムトノード)のセットとして規定することができる。ある領域内のすべてのフェムトノード(またはすべての制限フェムトノード)が動作するチャネルは、フェムトチャネルと呼ぶことができる。
【００６６】
所与のフェムトノードと所与のモバイルデバイスとの間には、このように様々な関係が存在する可能性がある。たとえば、モバイルデバイスの観点から、オープンフェムトノードは制限された関連付けがないフェムトノードを指すことができる。制限フェムトノードは、何らかの方式で制限された(たとえば、関連付けおよび/または登録について制限された)フェムトノードを指すことができる。ホームフェムトノードは、その上でモバイルデバイスがアクセスおよび動作することを認可されたフェムトノードを指すことができる。ゲストフェムトノードは、その上でモバイルデバイスがアクセスまたは動作することを一時的に認可されたフェムトノードを指すことができる。異種フェムトノードは、おそらく緊急事態(たとえば911呼)を除いて、その上でモバイルデバイスがアクセスまたは動作することを認可されないフェムトノードを指すことができる。
【００６７】
制限フェムトノードの観点から、ホームモバイルデバイスは、制限フェムトノードにアクセスすることを認可されたモバイルデバイスを指すことができる。ゲストモバイルデバイスは、制限フェムトノードへの一時的なアクセス権を有するモバイルデバイスを指すことができる。異種モバイルデバイスは、おそらく緊急事態、たとえば911呼を除いて、制限フェムトノードにアクセスする許可を有さないモバイルデバイス(たとえば、制限フェムトノードに登録する資格証明または許可を有さないアクセス端末)を指すことができる。
【００６８】
便宜上、本開示は、フェムトノードの文脈で様々な機能について本明細書で説明する。しかしながら、ピコノードは、より大きいカバレージエリアでなければ、フェムトノードと同じまたは同様の機能を提供することができることを諒解されたい。たとえば、ピコノードを制限すること、家庭用ピコノードを所与のモバイルデバイスに関して定義することなどが可能である。
【００６９】
ワイヤレス多元接続通信システムは、複数のワイヤレスモバイルデバイス用の通信を同時にサポートすることができる。上述のように、各端末は、順方向リンクおよび逆方向リンク上の伝送を介して、1つまたは複数の基地局と通信することができる。順方向リンク(またはダウンリンク)は基地局から端末までの通信リンクを指し、逆方向リンク(またはアップリンク)は端末から基地局までの通信リンクを指す。この通信リンクは、単入力単出力システム、MIMOシステム、または何らかの他のタイプのシステムを介して確立することができる。
【００７０】
本明細書で開示する実施形態に関して説明した、様々な例示的な論理、論理ブロック、モジュール、構成要素、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲート論理もしくはトランジスタ論理、個別ハードウェア構成要素、または、本明細書で説明した機能を実行するように設計されたそれらの任意の組合せによって、実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。加えて、少なくとも1つのプロセッサは、上記で説明したステップおよび/または動作のうちの1つまたは複数を実行するように動作可能な1つまたは複数のモジュールを備え得る。例示的な記憶媒体は、プロセッサが記憶媒体から情報を読み取り、記憶媒体に情報を書き込むことができるように、プロセッサに結合され得る。代替として、記憶媒体はプロセッサと一体であり得る。さらに、いくつかの態様では、プロセッサおよび記憶媒体はASIC中に存在してもよい。さらに、ASICはユーザ端末中に存在し得る。代替として、プロセッサおよび記憶媒体は、ユーザ端末中に個別構成要素として存在し得る。
【００７１】
1つまたは複数の態様では、説明した機能、方法、またはアルゴリズムは、ハードウェア、ソフトウェア、ファームウェア、またはそれらの任意の組合せで実装され得る。ソフトウェアで実装された場合、機能は、1つまたは複数の命令もしくはコードとして、コンピュータ可読媒体上に記憶することができるか、または、コンピュータ可読媒体上で送信することができ、コンピュータ可読媒体はコンピュータプログラム製品に組み込むことができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。また、実質的にいかなる接続もコンピュータ可読媒体と呼ぶことができる。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用される場合、ディスク(disk)およびディスク(disc)は、コンパクトディスク(disc)(CD)、レーザディスク(disc)、光ディスク(disc)、デジタル多用途ディスク(disc)(DVD)、フロッピー（登録商標）ディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読媒体の範囲内に含めるべきである。
【００７２】
本出願で使用される場合、「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションと、そのコンピューティングデバイスの両方が、構成要素であり得る。1つまたは複数の構成要素が、プロセスおよび/または実行スレッド内に存在することができ、1つの構成要素が、1つのコンピュータ上に局在化されてよく、かつ/または2つ以上のコンピュータ間に分散されてよい。さらに、これらの構成要素は、様々なデータ構造を記憶している様々なコンピュータ可読媒体から実行することができる。これらの構成要素は、信号によって、ローカルシステム、分散システム内の別の構成要素と対話し、かつ/またはインターネットなどのネットワークを介して他のシステムと対話する1つの構成要素からのデータなどの、1つまたは複数のデータパケットを有する信号に従うことなどによって、ローカルプロセスおよび/またはリモートプロセスによって通信し得る。
【００７３】
上記の開示は、例示的な態様および/または実施形態について論じたが、添付の特許請求の範囲によって定義されるように、説明した態様および/または実施形態の範囲から逸脱することなく、様々な変更および改変を本明細書で行うことができることに留意されたい。さらに、説明した態様および/または実施形態の要素は、単数形で説明または特許請求されていることがあるが、単数形に限定することが明示的に述べられていない限り、複数形が企図される。さらに、任意の態様および/または実施形態の全部または一部は、別段に記載されていない限り、任意の他の態様および/または実施形態の全部または一部とともに利用され得る。
【符号の説明】
【００７４】
100  ワイヤレス通信システム
102  マクロ基地局
104  フェムトノード
106  フェムトノード
108  フェムトノード
110  フェムトノード
112  フェムトノード
114  モバイルデバイス
200  システム
202  フェムトノード
206  頻繁なハンドオーバ判定構成要素
208  ハンドオーバ分類構成要素
210  ハンドオーバ調整構成要素
400  方法
410  方法
500  システム
502  論理グルーピング
504  電気的構成要素
506  電気的構成要素
508  電気的構成要素
510  メモリ
600  ワイヤレス通信システム
602  基地局
604  アンテナ
606  アンテナ
608  アンテナ
610  アンテナ
612  アンテナ
614  アンテナ
616  モバイルデバイス
618  順方向リンク
620  逆方向リンク
622  モバイルデバイス
624  順方向リンク
626  逆方向リンク
700  ワイヤレス通信システム
710  基地局
712  データソース
714  TXデータプロセッサ
720  TX MIMOプロセッサ
722a〜722t  送信機(TMTR)
724a〜724t  アンテナ
730  プロセッサ
732  メモリ
736  データソース
738  TXデータプロセッサ
740  復調器
742  RXデータプロセッサ
750  モバイルデバイス
752a〜752r  アンテナ
754a〜754r  受信機(RCVR)
760  RXデータプロセッサ
770  プロセッサ
772  メモリ
780  変調器
800  ワイヤレス通信システム
802  セル
802A〜802G  マクロセル
804A〜804G  アクセスノード
806A〜806L  モバイルデバイス
900  通信システム
910A、910B  フェムトノード
920A、920B  モバイルデバイス
930  ユーザの住宅
940  ワイドエリアネットワーク
950  モバイル事業者コアネットワーク
960  マクロセルアクセスノード
1000  カバレージマップ
1002  トラッキングエリア
1004  マクロカバレージエリア
1006  フェムトカバレージエリア
【図１】
0006030669.tif 000002
【図２】
0006030669.tif 000003
【図４Ａ】
0006030669.tif 000004
【図４Ｂ】
0006030669.tif 000005
【図５】
0006030669.tif 000006
【図６】
0006030669.tif 000007
【図７】
0006030669.tif 000008
【図８】
0006030669.tif 000009
【図９】
0006030669.tif 000010
【図１０】
0006030669.tif 000011
【図３】
0006030669.tif 000012